(57)【要約】      （修正有）【課題】より魅力的で、機能的で、費用の面で効率的である、特にカード製品に対する製品ディスプレイが望まれている。【解決手段】製品を吊り下げるディスプレイユニット１００は正面側、背面側、左端、右端を有する実質上平面の基部１１０を具備する。ディスプレイユニット１００は基部１１０の正面側から前方に伸びている伸長フックをさらに具備し、フック１２０は基部１１０に接合された近位の端と、遠位の端とを有している。さらに、ディスプレイユニット１００は基部１１０の背面側に取り付けられ、垂直面に対してディスプレイユニット１００を選択的に固定させるように適合されている固定メカニズム１３０を備えていてもよい。【選択図】図１
2008114046.tif 000002
【特許請求の範囲】
【請求項１】
製品を吊り下げるディスプレイユニットにおいて、
正面側、背面側、左端、右端を有する実質上平面の基部と、
前記基部に接合された近位の端と、遠位の端とを有しており、前記基部の正面側から前方に伸びている伸長フックと、
前記基部の背面側に取り付けられ、垂直面に対して前記ディスプレイユニットを選択的に固定させるように適合されている固定メカニズムと
を具備する、製品を吊り下げるディスプレイユニット。
【請求項２】
前記実質上平面の基部の左端は実質上等しいディスプレイユニットの右端に選択的に取り付けられるように適合されており、前記実質上平面の基部の右端は第２の実質上等しいディスプレイユニットの左端に選択的に取り付けられるように適合されている、請求項１記載のディスプレイユニット。
【請求項３】
前記左端および右端はスナップファスナーおよび接着剤からなる組のうちの１つにより選択的に取り付けられる、請求項１記載のディスプレイユニット。
【請求項４】
前記フックの遠位の部分は前記フックの近位の部分と鈍角を形成する、請求項１記載のディスプレイユニット。
【請求項５】
前記フックはその外周にエッジを有し、前記エッジは実質上円形の断面を有している、請求項１記載のディスプレイユニット。
【請求項６】
前記フックは前記正面側から９０度より小さい角度で伸びる、請求項１記載のディスプレイユニット。
【請求項７】
前記フックは、ユーザが前記フックを複数の長さに調整できるように適合された伸縮メカニズムを含む、請求項１記載のディスプレイユニット。
【請求項８】
前記固定メカニズムは前記基部の背面側から後方に伸びている少なくとも２つのペグを備え、前記各ペグの少なくとも一部はカーブしている、請求項１記載のディスプレイユニット。
【請求項９】
前記少なくとも２つのペグはちょうど２つのペグを備え、前記ちょうど２つのペグは、前記基部の中央の垂直軸について実質上対称に配置されている、請求項８記載のディスプレイユニット。
【請求項１０】
前記基部の正面側に少なくとも１つのチャネルを具備し、
前記少なくとも１つのチャネルは正面、背面、および少なくとも２つの側面を備え、
前記背面は前記基部の正面側の一部を含み、前記正面は前記背面に実質上平行であり、前記少なくとも１つのチャネルは前記基部の正面側に平行な開口空洞を有する、請求項１記載のディスプレイユニット。
【請求項１１】
前記少なくとも１つのチャネルは２つのチャネルを備え、前記２つのチャネルは、前記基部の中央の垂直軸について実質上対称に位置されており、前記２つのチャネルのそれぞれの正面は垂直に吊り下げられる部材を受けるように構成されているスロットを含む、請求項１０記載のディスプレイユニット。
【請求項１２】
前記フックの遠位の端の近くで前記ディスプレイユニットに取り付けられた保持メカニズムをさらに具備し、前記保持メカニズムは、垂直に直立する部材を選択的に固定させるように適合されている、請求項１記載のディスプレイユニット。
【請求項１３】
前記保持メカニズムは２つの実質的にＣ形状のスナップを備え、前記２つの実質的にＣ形状のスナップは、垂直に直立する部材の水平な、円柱形部分を受けるように構成されている、請求項１２記載のディスプレイユニット。
【請求項１４】
前記ディスプレイユニットは、成型プラスチックを含む、統合された、一体型ユニットである、請求項１記載のディスプレイユニット。
【請求項１５】
製品を吊り下げるディスプレイユニットにおいて、
正面側、背面側、左端、右端を有する実質上平面の基部と、
前記基部に接合された近位の端と、遠位の端とを有しており、前記基部の正面側から前方に伸びている伸長フックと、
前記基部の背面側に取り付けられ、垂直面に対して前記ディスプレイユニットを選択的に固定させるように適合されている固定メカニズムと
を具備し、
前記左端は実質上等しいディスプレイユニットの右端に選択的に取り付けられるように適合されており、前記右端は第２の実質上等しいディスプレイユニットの左端に選択的に取り付けられるように適合されている、製品を吊り下げるディスプレイユニット。
【請求項１６】
製品を吊り下げるディスプレイユニットにおいて、
正面側、背面側、左端、右端を有する実質上平面の基部と、
近位の端と、遠位の端とを有しており、前記基部の正面側から前方に伸びている伸長フックと、
前記基部の背面側に取り付けられ、垂直面に対して前記ディスプレイユニットを選択的に固定させるように適合されている固定メカニズムと、
前記基部の正面側上の少なくとも１つのチャネルと、
前記フックの遠位の端に近くでフックに取り付けられた、少なくとも１つの実質的にＣ形状のスナップと
を具備し、
前記左端は実質上等しいディスプレイユニットの右端に選択的に取り付けられるように適合されており、前記右端は第２の実質上等しいディスプレイユニットの左端に選択的に取り付けられるように適合されており、
前記少なくとも１つのチャネルは正面、背面、および、少なくとも２つの側面を備え、前記背面は前記基部の正面側の一部を含み、前記正面は前記背面に実質上平行であり、前記少なくとも１つのチャネルは前記基部の正面側に平行な開口空洞を有し、
前記少なくとも１つの実質的にＣ形状のスナップは、垂直に直立する部材の水平な、円柱形部分を受けるように構成されている、製品を吊り下げるディスプレイユニット。
【請求項１７】
前記ディスプレイユニットは、成型プラスチックを含む、統合された、一体型ユニットである、請求項１６記載のディスプレイユニット。
【請求項１８】
少なくとも２つのディスプレイユニットを具備するディスプレイストリップにおいて、前記少なくとも２つのディスプレイユニットのそれぞれは、
ほぼ平坦な背面側、正面側、左端、右端を含む実質上平面の基部と、
各ペグの少なくとも一部はカーブしている、前記基部板の平坦な背面側から後方に伸びている少なくとも２つのカーブしたペグと、
前記基部の正面側から前方に延びているタングフックと、
前記基部板の正面側から突起している少なくとも１つのチャネルと、
前記タングフックに取り付けられた少なくとも１つのＣ形状のスナップと
を備え、
前記左端は等しいディスプレイユニットの右端に接続されるように適合されており、前記右端は実質上等しいディスプレイユニットの左端に接続されるように適合されている、ディスプレイストリップ。
【発明の詳細な説明】
【発明の背景】
【０００１】
本発明は製品を吊り下げる小売業者ディスプレイラックの分野に一般的に関連する。詳細には、本発明は小売業者ポイントオブセールにおいてカード製品を吊り下げるモジュール方式ディスプレイシステムに向けられている。
【０００２】
小売業者店舗は、店舗の製品、特にポイントオブセールに位置する製品をより効率的にディスプレイし、販売する方法を探していることが多く、ポイントオブセールに位置する製品は店舗中の他の場所にディスプレイされた製品よりも、かなりより高い売上を典型的に有する。これらのポイントオブセールディスプレイは魅力的で、費用の面で効率的で、製品をストックする小売業者と製品を購入する顧客との両方にとって容易に使用されるものであるべきである。ディスプレイシステムは、異なる小売業者ロケーションにおいて存在しているさまざまな状況に対応するために、フレキシブルかつモジュール方式であるべきである。
【０００３】
数多くの共通製品ディスプレイシステムがある。１つの共通のアプローチは、ペグボードの穴の中に挿入されるペグを使用して、ペグボード上にハンガーまたはフックを据え付けることである。当業者に知られている他のアプローチはスラット壁システムを含み、スラット壁システムでは、ハンガーに取り付けられたチャネル連結構造を壁面に位置するチャネルに挿入することによって、ハンガーが壁またはパネルに固定される。
【０００４】
既存のペグボードとスラット壁システムは、高価であること、魅力的でないことおよび／または安定性のないことに苦慮しがちである。典型的に、ハンガーは個別にペグボードまたはスラット壁に取り付けられ、したがって、ペグまたはハンガーに位置する他の取り付けメカニズムによってのみ安定して支えられる。購入のためディスプレイから製品を取り外そうとする顧客によって、このようなハンガーが不注意で外されることが多い。このように不注意で外されることは、顧客の困惑または怪我、売上の低下、および、潜在的な修理のためのかなりの費用と労力につながるかもしれない。ハンガーは強度を加えるため金属製であることが多いが、これらのハンガーはプラスチックのような利用可能な代わりの素材よりも費用が高く、フレキシブルさがより少ない。
【０００５】
一般的に、プラスチック製のハンガーは、ハンガーが取り付けられたパネルから外側および上方に伸びる円柱形のフックから単に構成されている。このような配置は、機能またはスタイルに関して多くを提供しない。例えば、製品はフック上で回転し、または、向きを変えてもよく、したがってこのことが、プロダクトの適切なディスプレイ位置を確実に維持することを難しくしている。さらに、典型的な製品ディスプレイシステムは、製品サインまたは広告のための一体化されたホルダーのような、ハンガーを超える一体化された拡張部分、あるいは、製品情報を含み、適切な製品配置を維持するのを助けるプラシーボカードホルダーを吊り下げる一体化されたスロットを有していない。
【０００６】
したがって、より魅力的で、機能的で、費用の面で効率的である、特にカード製品に対する製品ディスプレイシステムが望まれている。
【発明の概要】
【０００７】
本発明のいくつかの実施形態は、製品を吊り下げるディスプレイユニットを含む。ディスプレイユニットは、正面側、背面側、左端、右端を有する実質上平面の基部を具備し、左端は実質上等しいディスプレイユニットの右端に選択的に取り付けられるように適合されており、右端は第２の実質上等しいディスプレイユニットの左端に選択的に取り付けられるように適合されている。ディスプレイユニットは基部の正面側から前方に伸びている伸長フックも具備し、フックは基部に接合された近位の端と、遠位の端とを有している。さらに、ディスプレイユニットは基部の背面側に取り付けられ、垂直面に対してディスプレイユニットを選択的に固定させるように適合されている固定メカニズムを含んでいてもよい。
【０００８】
本発明のいくつかの実施形態では、フックの遠位の部分はフックの近位の部分と鈍角を形成する。フックはその外周にエッジを有し、エッジは実質上円形の断面を有している。さらに、フックは正面側から９０度より小さい角度で伸びる。本発明のいくつかの実施形態では、フックは、ユーザがフックを複数の長さに調整できるように適合された伸縮メカニズムを含む。
【０００９】
これらおよび他の観点は、添付の図面とともに以下の発明の例示的な実施形態の説明を参照することで明らかになり、変形および変更は本開示の新規な概念の精神および範囲を逸脱することなく効力を有するだろう。上の一般的な説明と以下の詳細な説明の両方は、単に例示的で説明的なものであることを理解すべきであり、添付の特許請求の範囲に記載の本発明を制限するものではないことを理解すべきである。添付の図面は明細書の一部をなし、本発明の特定の実施形態を図解し、詳細な説明とともに本発明の原則を説明するものとして働く。
【００１０】
本発明の理解を助けるために、同じ参照文字は同じ要素を表している添付の図面に対する参照がここで行われる。図面は単に例示的なものであり、本発明を制限するものとして解釈すべきでない。
【発明の詳細な説明】
【００１１】
図１、図２および図３は、本発明のいくつかの実施形態にしたがったディスプレイユニット１００の斜視図、側面図および正面図をそれぞれ図示する。本発明のディスプレイユニット１００は個別に使用してもよく、または、他のディスプレイユニット１００と一緒に使用してもよい。
【００１２】
ディスプレイユニット１００は基部１１０を具備し、基部１１０は基部１１０に取り付けられたフック１２０および固定メカニズム１３０を備える。フック１２０はカード製品のような製品を吊り下げるための支持体として機能し、そして、固定メカニズム１３０はペグボードディスプレイ壁のような垂直面に対してディスプレイユニット１００を固定させるように機能する。
【００１３】
基部１１０は正面側１１２および背面側１１４を有している実質上平面の部材である。フック１２０は基部１１０の正面側１１２に取り付けられる。固定メカニズム１３０は基部１１０の背面側１１４に取り付けられる。背面側１１４はディスプレイユニット１００が垂直面に対して面一に据え付けられることができるようにほぼ平坦であってもよい。基部１１０は左端１１６および右端１１８も含む。以下にさらに説明するように、左端１１６は等しいディスプレイユニット１００の右端１１８に取り付けられるようにオプション的に適合されており、右端１１８は他の等しいディスプレイユニット１００の左端１１６に取り付けられるようにオプション的に適合されており、このようにして、ディスプレイシステムまたはラックを形成するために複数のディスプレイユニットを互いに接続することができる。
【００１４】
フック１２０は、例えばカード製品のような吊り下げられた製品を保持するように適合された、伸びている、実質上水平な支持部材である。フック１２０は基部１１０に接合された近位の端と、接合されていない遠位の端（または、チップ）１２２とを有し、遠位の端を通してカードが通されてフック１２０に吊り下げられる。吊り下げられた製品が基部１１０に向かってスライドする傾向になるように、フック１２０は水平からわずかな勾配で基部１１０から突起していてもよい。フック１２０はトレイ１２６を取り囲むエッジ１２４も備えていてもよい。エッジ１２４はトレイ１２６の厚みよりも大きい直径の円形の断面を有しており、このようにして、トレイ１２６の周りにリムを作成している。トレイ１２６は中空でないものであってもよく、または、網目パターンのように部分的に中空であってもよい。代わりに、フック１２０が主としてエッジ１２４を備えるように、トレイ１２６は完全に中空であってもよい。登録商標のようなしるしが、印刷、型彫り、浮彫り、接着ラベル等のようなものによって、トレイ１２６の固形部分に配置されてもよい。本発明のいくつかの実施形態では、フック１２０のチップ１２２は、フック１２０から製品が不注意で落ちることを防ぐために、図１から図３に示されるように上方に曲がっていてもよい。
【００１５】
フック１２０は固定の長さであってもよい。本発明のいくつかの実施形態では、フック１２０は基部１１０から突起するフック１２０の距離を調整する（示していない）メカニズムも含んでいてもよい。例えば、フック１２０は水平に伸縮するまたはスライドする部分を含んでいてもよい。そのようなフックにより、特定のサイズまたは量のディスプレイ製品を収容するように、ユーザはポイントオブセールにおいてフックをサイズ調整することができてもよい。代わりに、（示していない）より長いフックが既存のフック１３０上に装着されてもよい。
【００１６】
固定メカニズム１３０は垂直面に対して基部１１０を固定するための、当業者に知られている任意の形態を含んでいてもよい。固定メカニズム１３０は例えばペグボード中に挿入するペグのような選択的な取り付け、または、面への基部１１０の接着のような恒久的な取り付けのいずれかを可能にしてもよい。図１から図３は２つのカーブしたペグ１３２、１３４の使用を図示し、カーブしたペグ１３２、１３４は基部１１０の背面１１４から水平に突起し、上方に曲がっている。カーブしたペグ１３２、１３４は、（示していない）ペグボード上のペグ穴中への、または、任意の比較的平坦で実質上垂直な面上の、適切に間隔があけられてサイズ調整されている任意の２つの開口中への挿入に適合されている。安定性を最大にするため、カーブしたペグ１３２、１３４が基部板の中央に位置する垂直軸について対称に配置される。基部を表面に対して固定する他の形態は、糊、接着剤、Ｖｅｌｃｒｏ（登録商標）、スナップ、クリップ、（例えば、紐のような）機械的固定等を含むが、これらに制限されるわけではない。
【００１７】
ディスプレイユニット１００は基部１１０の正面側１１２に位置する１つ以上のチャネル１４０も備えていてもよい。図１および図３は、基部の中央の垂直軸について対称に位置する、２つのチャネル１４１、１４２を図示する。チャネル１４１、１４２は、基部１１０の正面側１１２の一部からなる背面と、２つ以上の側面によって背面に接続される正面とを含む。各チャネル１４１、１４２はチャネルの中央を垂直に通っている開口空洞１４３、１４４を備える。空のチャネル１４１、１４２は費用または重量に関して多くを追加することなく、ディスプレイユニット１００に安定性および強度を追加することができる。さらに、各チャネル１４１、１４２の正面は、以下にさらに説明する垂直に吊り下げられる部材４２０を受け入れるように適合されたスロット１４５、１４６を含んでいてもよい。
【００１８】
図４から図６を参照して以下にさらに説明するように、ディスプレイユニット１００は、ディスプレイ広告カードのような垂直に直立する部材４１０を受け、そして固定させるように適合されている保持メカニズム１５０を含んでいてもよい。保持メカニズム１５０はフック１２０および／または基部１１０に取り付けられていてもよい。図１は２つのＣ形状のスナップ１５２、１５４の形態で保持メカニズム１５０を図示し、Ｃ形状のスナップ１５２、１５４は基部１１０およびフック１２０の遠位の端の近くでトレイ１２６に取り付けられている。図１に示したように、Ｃ形状のスナップ１５２、１５４はトレイ１２６から上方に向かっていてもよく、または、スナップは基部１１０の正面側１１２から前方に向かっていてもよい。保持メカニズムはＣ形状のスナップの代わりとして、ディスプレイカードまたは実質上垂直な同様のオブジェクトを保持するための当業者に知られている、クリップ、スロット等のような他の形態を含んでいてもよい。
【００１９】
図４は本発明のいくつかの実施形態にしたがった、設置された垂直に直立する部材４１０と、設置された垂直に吊り下げられた部材４２０とを備えるディスプレイユニット１００を図示する。垂直に直立する部材４１０は選択的に取り付けられてもよく、または、恒久的に取り付けられていてもよい。垂直に直立する部材４１０は、ディスプレイされた特定の製品またはアイテム等に対する、製品ラベルまたは広告、バーコード、価格情報のような（示していない）しるしも含んでいてもよい。
【００２０】
垂直に吊り下げられた部材４２０は、プラシーボ製品を保持し、表示するのに使用してもよい。垂直に吊り下げられた部材４２０はこのような製品を保持するためのさまざまなチャネルおよび／または他の保持手段を備えていてもよく、ディスプレイユニット１００に垂直に吊り下げられた部材１００を取り付けるための取り付け手段をさらに備えていてもよい。ディスプレイユニットに垂直に吊り下げられた部材１００を取り付けるための取り付け手段は、ディスプレイユニット１００をその設置された位置から取り外す必要なく、ディスプレイユニット１００に取り付けられ、ディスプレイユニット１００から外されてもよい。
【００２１】
垂直に吊り下げられた部材４２０はそこに設置されたプラシーボを備え、使用において、少なくとも２つの機能で働く。プラシーボはディスプレイユニット１００にディスプレイされることになる製品またはアイテムに関する情報をマーチャントまたは消費者に提示してもよい。第１に、垂直に吊り下げられた部材４２０に設置されたプラシーボは、どの特定の製品またはアイテムが特定のディスプレイユニット１００上にディスプレイされる予定であるかを示す情報を表示してもよい。第２に、特定の製品またはアイテムが売り切れている、あるいは、もはやディスプレイユニット１００上に存在しない場合、垂直に吊り下げられた部材に設置されたプラシーボは、製品がディスプレイユニット１００から入手できないにもかかわらず、特定の製品またはアイテムを注文するのに十分な情報を消費者に提示してもよい。プラシーボは情報カードであってもよく、未起動のまたは動作停止された製品カードであってもよく、ならびに／あるいは、マーチャントまたは消費者に対して特定の製品またはアイテムについての情報を表示する他の任意の手段であってもよい。
【００２２】
上に述べたように、垂直面からディスプレイユニット１００の設置を取り外すことなく、垂直に吊り下げられた部材４２０をディスプレイユニット１００から取り外すことができる。このようにして、さまざまな製品はディスプレイユニット１００上にディスプレイされてもよく、さまざまな垂直に吊り下げられた部材４２０および／またはプラシーボが使用されてもよい。
【００２３】
図５は本発明のいくつかの実施形態にしたがった、設置された垂直に直立する部材４１０と、設置された垂直に吊り下げられた部材４２０とを備える、設置された予めストックされたディスプレイユニット１００を図示する。図５において、ディスプレイユニットはペグ１３２、１３４を使用している固定メカニズム１３０を備え、ディスプレイユニット１００が壁５１０に固定的に取り付けられるように、ペグ１３２、１３４は垂直壁５１０の穴の中に挿入することができる。ディスプレイユニット１００は、パッケージされたカード製品のような製品５２０をフック１２０上に吊り下げられるように構成されていてもよい。示したように、製品５２０が不注意でフック１２０から取り外されることを防ぐため、フック１２０は上向きのチップ１２２を含んでいてもよい。垂直に直立する部材４１０は、ストックされたディスプレイユニットを顧客が見るときに垂直に直立する部材４１０を見ることができるように構成されていてもよい。垂直に吊り下げられた部材４２０は（示したように）製品５２０の後ろに独立して吊り下げられるように構成されていてもよく、または、垂直に吊り下げられた部材４２０は、顧客が製品５２０を見るときに垂直に吊り下げられた部材４２０の一部を見ることができるように製品よりも大きくなるように構成されていてもよい。
【００２４】
図６および図７を参照すると、本発明のいくつかの実施形態において、複数のディスプレイユニットが互いに接続されるように、ディスプレイユニット１０１の端が変更されていてもよい。図６は本発明のいくつかの実施形態にしたがった、接続された複数のディスプレイユニット１００、１０１、１０２を備えるディスプレイストリップ６００を図示する。ディスプレイユニット１０１の右端はディスプレイユニット１００の左端に接続され、そして、ディスプレイユニット１０２の左端はディスプレイユニット１００の右端に接続され、３−ユニットのディスプレイストリップを形成してもよい。ユーザの要求と利用可能な空間に依拠して、１つのディスプレイストリップは任意の数のディスプレイユニットを備えていてもよい。さらに、図６に示したようにディスプレイストリップは等しいディスプレイユニットを備えていてもよく、または、ディスプレイストリップは等しくないが互換性のあるディスプレイユニットを備えていてもよい。互換性のあるディスプレイユニットは、互いに取り付けられるように構成されているが、必ずしも等しくないユニットである。例えば、２つのディスプレイユニットは互換性があるが、一方は他方よりも長いフックを有していてもよい。ディスプレイシステムの２つのディスプレイユニットの端の間の接続は、スナップ、フック、Ｖｅｌｃｒｏ、ロック、接着剤、機械的固定、または、当業者に知られている他の手段により形成されてもよい。
【００２５】
図７Ａは本発明のいくつかの実施形態にしたがった、取り外された１つのディスプレイユニットの左端および他のディスプレイユニットの右端の拡大図であり、図７Ｂは本発明のいくつかの実施形態にしたがった、取り付けられた１つのディスプレイユニットの左端および他のディスプレイユニットの右端の拡大図である。
【００２６】
図７Ａと図７Ｂを参照すると、１つのディスプレイユニットの左端７１６は、端の上部における隆起部分７１０と、端の底部における開口７３０とを備えていてもよい。第２のディスプレイユニットの右端７１８は、端の上部における開口７４０と、端の底部における隆起部分７２０とを備えていてもよい。端７１６、７１８は１つの端の隆起部分７１０、７２０が反対の端の開口７３０、７４０中にスナップされることができるように構成されていてもよく、これによって、図７Ｂに示したような固定取り付けを可能にする。図７Ａと図７Ｂは取り付けの単なる一種の例にすぎない。スナップ、クリップ、接着剤、スライディングメカニズム等のような、当業者に知られている他の取り付けが本発明の範囲内に企図されている。
【００２７】
本発明の範囲または精神から逸脱することなく、本発明の方法、製造、構成、および、使用において、さまざまな変更および変形を行うことができることを当業者は理解するだろう。
【図面の簡単な説明】
【００２８】
【図１】図１は、本発明のいくつかの実施形態にしたがったディスプレイユニットの斜視図である。
【図２】図２は、本発明のいくつかの実施形態にしたがったディスプレイユニットの側面図である。
【図３】図３は、本発明のいくつかの実施形態にしたがったディスプレイユニットの正面図である。
【図４】図４は、本発明のいくつかの実施形態にしたがった、設置された垂直に直立する部材と、設置された垂直に吊り下げられた部材とを備えるディスプレイユニットの斜視図である。
【図５】図５は、本発明のいくつかの実施形態にしたがった、設置された垂直に直立する部材と、設置された垂直に吊り下げられた部材とを備える予めストックされたディスプレイユニットの側面図である。
【図６】図６は、本発明のいくつかの実施形態にしたがった、複数の接続されたディスプレイユニットを含んでいるディスプレイシステムの斜視図である。
【図７Ａ】図７Ａは、本発明のいくつかの実施形態にしたがった、取り付けられていない、１つのディスプレイユニットの左端と、もう１つのディスプレイユニットの右端との拡大図である。
【図７Ｂ】図７Ｂは、本発明のいくつかの実施形態にしたがった、取り付けられた、１つのディスプレイユニットの左端と、もう１つのディスプレイユニットの右端との拡大図である。
【図１】
2008114046.tif 000003
【図２】
2008114046.tif 000004
【図３】
2008114046.tif 000005
【図４】
2008114046.tif 000006
【図５】
2008114046.tif 000007
【図６】
2008114046.tif 000008
【図７Ａ】
2008114046.tif 000009
【図７Ｂ】
2008114046.tif 000010
【手続補正書】
【提出日】平成19年11月28日(2007.11.28)
【手続補正１】
【補正対象書類名】明細書
【補正対象項目名】０００５
【補正方法】変更
【補正の内容】
【０００５】
一般的に、プラスチック製のハンガーは、ハンガーが取り付けられたパネルから外側および上方に伸びる円柱形のフックから単に構成されている。このような配置は、機能またはスタイルに関して多くを提供しない。例えば、製品はフック上で回転し、または、向きを変えてもよく、したがってこのことが、プロダクトの適切なディスプレイ位置を確実に維持することを難しくしている。さらに、典型的な製品ディスプレイシステムは、製品サインまたは広告のための一体化されたホルダーのような、ハンガーを超える一体化された拡張部分、あるいは、製品情報を含み、適切な製品配置を維持するのを助けるプラシーボカードホルダーを吊り下げる一体化されたスロットを有していない。  
したがって、より魅力的で、機能的で、費用の面で効率的である、特にカード製品に対する製品ディスプレイシステムが望まれている。
【手続補正２】
【補正対象書類名】明細書
【補正対象項目名】０００６
【補正方法】変更
【補正の内容】
【０００６】
【特許文献１】米国特許第５４３１２０７号明細書
【特許文献２】米国特許第７０６３２５５号明細書
【特許文献３】米国特許第４６７１４１７号明細書
【特許文献４】米国特許第５１０９９９３号明細書
【特許文献５】米国特許第５１５４３０４号明細書
【特許文献６】米国特許第５３７５７２５号明細書
【特許文献７】米国特許第５５０３２７７号明細書
【特許文献８】米国特許第５６１１４３８号明細書
【特許文献９】米国特許第５６４７５６６号明細書
【特許文献１０】米国特許第６０２９８２７号明細書
【特許文献１１】米国特許第６２３４４３６号明細書
【外国語明細書】
2008114046000001.pdf